(57)【要約】【課題】軒樋の底板端部の上面と軒樋差込部の上面との間の段差をなくすと共に、軒樋から集水器の落し口への排水をよりスムーズに行うことができる軒樋スライドストッパーを提供すること。【解決手段】軒樋７の端部が集水器の軒樋挿入口から抜けるのを防ぐために用いられ、軒樋７の底板端部７ａの下面を下から押さえるストッパー基板２と、上記軒樋７の底板端部７ａの上面の両サイドを上から押さえる一対の押え片３とを備えると共に、軒樋７の両側壁７ｂ，７ｂ間における軒樋差込部２０の上面部分から集水器８の落し口８ａに雨水をガイドするための排水ガイド６を設けた軒樋スライドストッパー１である。【選択図】図１
2008007979.tif 000002
【特許請求の範囲】
【請求項１】
軒樋の端部を集水器に設けた軒樋挿入口から挿入して集水器の落し口の上方に臨んで配置するにあたって、軒樋の端部が軒樋挿入口から抜けるのを防ぐために用いられる軒樋スライドストッパーであって、軒樋の底板端部の下面を下から押さえるストッパー基板と、上記底板端部の上面の両サイドを上から押さえる一対の押え片とで、軒樋の底板端部に差し込まれる軒樋差込部が構成され、軒樋の両側壁間における上記軒樋差込部の上面部分から集水器の落し口に雨水をガイドするための排水ガイドを設けたことを特徴とする軒樋スライドストッパー。
【請求項２】
上記排水ガイドの両サイドから上方に向けて一対の立上り壁を立設すると共に、各立上り壁の上流側端部を軒樋の両側壁の内面に沿って配置したことを特徴とする請求項１記載の軒樋スライドストッパー。
【発明の詳細な説明】
【技術分野】
【０００１】
本発明は、軒樋スライドストッパーに関し、詳しくは、軒樋の端部を集水器に設けた軒樋挿入口から挿入して集水器の落し口の上方に臨んで配置するにあたって、軒樋の端部が軒樋挿入口から抜けるのを防ぐために用いられる軒樋スライドストッパーに関するものである。
【背景技術】
【０００２】
一般に、雨水を軒樋７から縦樋に流下させるときは集水器８が用いられる。集水器８は、図４に示すように、その両端に設けた軒樋挿入口８ｂに対して軒樋７の端部を挿入し、中央部に設けた落し口８ａの下方に縦樋の上端部を接続している。
【０００３】
また従来は、軒樋７の端部が集水器８の軒樋挿入口８ｂから抜けるのを防ぐために、特許文献１に見られる軒樋用ストッパー１´を用いている。この軒樋用ストッパー１´は、図５に示すように、軒樋７の底板端部７ａを下から押さえるストッパー基板２と、軒樋７の底板端部７ａを上から押さえる一対の押え片３とを備えていると共に、ストッパー基板２の両サイドからは軒樋７の両側壁７ｂと直交する方向に立ち上げられた一対の整流ガイド１０を設けて構成されている。各整流ガイド１０は、図５（ａ）のように軒樋７内の両側壁７ｂ近傍を流れる水Ｗの向きを軒樋７の中央部の方向への向きイに変えることで、軒樋７内の両側壁７ｂ近傍を流れる水が集水器８の外部に漏れるのを防止している。
【０００４】
ところが、従来の軒樋用ストッパー１´は、軒樋７の端部が集水器８の軒樋挿入口８ｂから外れないようにするだけのストッパー機能しかなく、軒樋７の底板端部７ｂの上面と軒樋用ストッパー１´の上面との間には整流ガイド１０によって大きな段差が生じており、排水がスムーズに行なわれなくなり、特に、軒樋７内を流れる水流が強い場合や大量の雨水が軒樋７に集中して流れる場合は、整流ガイド１０が排水の妨げとなり、集水器８外部に雨水が溢れやすくなるという問題がある。
【特許文献１】特開平１０−１２１６７９号公報
【発明の開示】
【発明が解決しようとする課題】
【０００５】
本発明は上記の従来の問題点に鑑みて発明したものであって、軒樋の底板端部の上面と軒樋差込部の上面との間の段差をなくして排水性を向上させることができ、しかも、軒樋内の両側壁近傍を流れる水を集水器の落し口へスムーズに排水でき、これにより、スライドストッパー機能に加えて排水性能にも優れた軒樋スライドストッパーを提供することを課題とするものである。
【課題を解決するための手段】
【０００６】
前記課題を解決するために本発明は、軒樋７の端部を集水器８に設けた軒樋挿入口８ｂから挿入して集水器８の落し口８ａの上方に臨んで配置するにあたって、軒樋７の端部が軒樋挿入口８ｂから抜けるのを防ぐために用いられる軒樋スライドストッパーであって、軒樋７の底板端部７ａの下面を下から押さえると共に軒樋挿入口８ｂに対して抜け止めされるストッパー基板２と、上記軒樋７の底板端部７ａの上面の両サイドを上から押さえる一対の押え片３とで、軒樋７の底板端部７ａに差し込まれる軒樋差込部２０が構成され、軒樋７の両側壁７ｂ，７ｂ間における上記軒樋差込部２０の上面部分から集水器８の落し口８ａに雨水をガイドするための排水ガイド６を設けたことを特徴としている。
【０００７】
このような構成とすることで、軒樋７の底板端部７ａの上面と軒樋差込部２０の上面との間の段差をなくすことができると共に、軒樋７の両側壁７ｂ，７ｂ間における上記軒樋差込部２０から下方に延びて下端部が集水器８の落し口８ａに配置される排水ガイド６を設けたことで、軒樋７内の両側壁７ｂ近傍を流れる水を集水器８の落し口８ａにスムーズに排水できるようになる。
【０００８】
また、上記排水ガイド６の両サイドから上方に向けて一対の立上り壁４を立設すると共に、各立上り壁４の上流側端部４ａを軒樋７の両側壁７ｂの内面に沿って配置するのが好ましく、この場合、軒樋７内の両側壁７ｂ近傍を流れる水が立上り壁４の上流側端部４ａに沿って排水ガイド６内にスムーズに導かれるので、排水ガイド６の排水性が一層良好となり、集水器８外部への雨水の溢れ出しをより確実に防止できるものである。
【発明の効果】
【０００９】
本発明は、軒樋の底板端部の上面と軒樋差込部の上面との間の段差をなくして排水性を向上させることができ、しかも排水ガイドによって軒樋内の両側壁近傍を流れる水を集水器の落し口へスムーズに排水できるようになり、スライドストッパー機能に加えて排水性能に優れた軒樋スライドストッパーが得られるものである。
【発明を実施するための最良の形態】
【００１０】
以下、本発明を添付図面に示す実施形態に基いて説明する。
【００１１】
図１は、建物の軒先に沿って略水平方向に配設される長尺状の軒樋７に対して、本発明の軒樋スライドストッパー１を取り付けた場合の一例を示している。
【００１２】
本例の軒樋７は、両側壁７ｂと底板とが略コ字形をした角形樋からなり、軒樋７の端部が図４に示す集水器８の軒樋挿入口８ｂから挿入されて集水器８の上部開口部に臨むようにして配置されるようになっている。
【００１３】
なお、集水器８の落し口８ａの下端部に、建物の略鉛直方向に沿って配置される縦樋の上端部が嵌着される点は従来と同様である。
【００１４】
ここで本発明の軒樋スライドストッパー１は、軒樋７の端部が軒樋挿入口８ｂから抜けるのを防ぐために用いられ、図２、図３に示すように、上方に開口した浅い箱型形状をしている。本例では、軒樋７の底板端部７ａの下面を下から押さえる横長形状のストッパー基板２と、上記底板端部７ａの上面の両サイドを上から押さえる一対の押え片３とで、軒樋差込部２０が構成されている。押え片３は、図３（ａ）に示すように、ストッパー基板２から起立する垂直片３ａと、垂直片３ａの上端から軒樋７側に突出する水平片３ｂとが逆Ｌ字状に形成されている。また押え片３，３間の軒樋差込部２０の上面は、図３（ｂ）に示すようにフラット面となっており、軒樋２内の雨水が軒樋差込部２０の上面からスムーズに流下するようになっている。
【００１５】
さらに、上記ストッパー基板２の前端部から集水器８の落し口８ａに向かって排水ガイド６が延設されている。排水ガイド６の上端部６ａはストッパー基板２の横幅と同じ横幅寸法とされ、集水器８の落し口８ａに近づくにつれて徐々に狭くなり、下端部６ｂの横幅寸法が落し口８ａのサイズ（開口幅）と合うように最も狭くなっている。
【００１６】
上記排水ガイド６の両サイドには、上方に立ち上がる一対の立上り壁４が立設されている。立上り壁４は上流側端部４ａで最も背が高く、下流側端部４ｂで最も背が低くなっている。
【００１７】
しかして、上記構成の軒樋スライドストッパー１は、軒樋７の端部が集水器８の軒樋挿入口８ｂから外れないようにするためのスライドストッパー機能と、軒樋７内を流れる雨水を集水器８内の落し口８ａにスムーズに排水するための排水機能とを兼ね備えている。しかも、軒樋７の底板端部７ａの上面と軒樋差込部２０の上面との間には従来のような段差（整流ガイド１０）がないため排水性が良好となり、さらに軒樋７内の雨水を集水器８の落し口８ａに導くための排水ガイド６を設けたことによって軒樋７内の雨水を落し口８ａにスムーズに導くことができるようになる。そのうえ排水ガイド６の両サイドに設けた立上り壁４の上流側端部４ａを軒樋７の両側壁７ｂの内面に沿ってそれぞれ配置しているので、軒樋７内の両側壁７ｂ近傍を流れる水が立上り壁４の上流側端部４ａに沿って排水ガイド６内にスムーズに導かれるようになり、従って、軒樋７内を流れる水流が強い場合や大量の雨水が軒樋７に集中して流れる場合でも、集水器８外部への雨水の溢れ出しをより確実に防止できるものである。
【００１８】
また本例では、排水ガイド６を上端部６ａで幅広とし、下端部６ｂに行くほど先細形状としているので、下端部６ｂが集水器８の内側面につかえたりすることがなく、軒樋スライドストッパー１の施工性が良好となる。またこのように排水ガイド６の横幅寸法を上端部６ａと下端部６ｂとで異ならせることで、さまざまな大きさの軒樋７と集水器８とに対応できる利点もある。
【図面の簡単な説明】
【００１９】
【図１】本発明の軒樋スライドストッパーを軒樋の底板端部に取り付けた状態の斜視図である。
【図２】同上の軒樋スライドストッパーの斜視図である。
【図３】（ａ）は図１のＡ―Ａ線断面図、（ｂ）は図１のＢ―Ｂ線断面図である。
【図４】従来の集水器の説明図である。
【図５】（ａ）（ｂ）は従来の軒樋用ストッパーの使用状態の説明図である。
【符号の説明】
【００２０】
１  軒樋スライドストッパー
２  ストッパー基板
３  押え片
４  立上り壁
６  排水ガイド
７  軒樋
７ａ  軒樋の底板
７ｂ  軒樋の両側壁
８  集水器
【図１】
2008007979.tif 000003
【図２】
2008007979.tif 000004
【図３】
2008007979.tif 000005
【図４】
2008007979.tif 000006
【図５】
2008007979.tif 000007